(57)【要約】【課題】  雄犬の排泄時において、排尿の飛散の虞のない、かつ、排泄行動を安心して行いうるペット用トイレを提供することであり、また、ペット用トイレの設置場所を移動したり、室内を清掃する場合にトイレを移動させたりする際に、簡単に移動が行いうるペット用トイレを提供すること。【解決手段】  ベースプレートの周囲にペットの出入りを許容する開口を形成する側壁を立設した函型のペット用トイレであって、前記周囲に立設する側壁はペットの体高をカバーするに十分な高さを有して構成され、ペットの出入りを許容する開口部は外方に突出する第２の側壁を有し、入口底は前記第２の側壁に連接し、かつ、ベースプレートの上面から段差を形成して設けたものである。【選択図】図１
0003138849.tif 000002
【実用新案登録請求の範囲】
【請求項１】
ベースプレートの周囲にペットの出入りを許容する開口を形成する側壁を立設した函型のペット用トイレであって、前記周囲に立設する側壁はペットの体高をカバーするに十分な高さを有して構成され、ペットの出入りを許容する開口部は外方に突出する第２の側壁を有し、入口底は前記第２の側壁に連接し、かつ、ベースプレートの上面から段差を形成して設けられたことを特徴とするペット用トイレ。
【請求項２】
請求項１記載のペット用トイレにおいて、ベースプレートの下面側に移動用のキャスターを固定したことを特徴とするペット用トイレ。
【考案の詳細な説明】
【技術分野】
【０００１】  本考案は、屋内で飼育するペット、詳しくは、犬のトイレ、就中、雄犬用として好適なペット用トイレに関する。
【背景技術】
【０００２】  近時において、チワワ、シーズー、マルチーズ、ヨークシャテリア等の小型犬、コーギー、ダックスフント等の中型犬を室内で飼育することが盛んに行われるようになっている。
そこで問題となるのが、ペット生理現象としての排泄行動を、決められた室内の所定箇所に設置さトイレにおいて行う習慣を付けることであり、トイレの構造である。後者における屋内で飼育するペット用のトイレとして、従来から、取扱いの簡便さ、室内に設置した場合の視覚に与えるシンプルさ等から、矩形状の台盤に不透水性の樹脂フィルムと透水性の不織布との間に吸水性ポリマーからなる吸水材層を積層してなる吸水性シートを載置し、その四周を枠体によって固定する平盤状のトイレが多用されている。【０００３】  ところで、ペット（犬）の排泄行動を観察するに、前述の平盤状のトイレに乗って、トイレ内の臭気を嗅ぎながらクルクルと徘徊して場所を決めて排泄を行っており、平盤状のトイレの中央部で行う場合、周縁部において行う場合と種々の行動パターンをとるが、特に周縁部において行う場合に平盤状のトイレから排泄物が外側にこぼれ、特に、オス犬の排泄行動の特徴として後足を挙げて排泄することから、尿が飛散し、室内の床、じゅうたん等を汚すことがあり、後始末に手数が掛かり、また、衛生面において問題となる。【０００４】  また、ペット用トイレとして特許文献１、２に示されるように四周に側壁を設けてなる箱型のペット用トイレも提案されるところであるが、特許文献１に示されるものにあっては、ペットは四周に形成された側壁を乗り越える必要があることから、側壁は必然的にその高さに制限を有することから、成犬の雄が取る排泄時における行動として、後肢を高く上げて排泄するために、側壁の高さが十分でないと排尿時における確実な飛散の防止をすることが難しく、また、後者の特許文献２に示されるものとして、側壁の一部に出入口を形成したものが提案されるところであるが、これとて側壁の高さが低いことから、排尿時において尿が飛散し、室内の床、じゅうたん等を汚すことがあり、後始末に手数が掛かり、また、衛生面における問題は解消されていない。
【特許文献１】  実開平５−９２６１号公報
【特許文献２】  実公昭６３−５４６７号公報
【考案の開示】
【考案が解決しようとする課題】
【０００５】  本考案は、前述の諸点に鑑みなされたもので、雄犬の排泄時において、排尿の飛散の虞のない、かつ、排泄行動を安心して行いうるペット用トイレを提供することであり、また、ペット用トイレの設置場所を移動したり、室内を清掃する場合にトイレを移動させたりする際に、簡単に移動が行いうるペット用トイレを提供することである。
【課題を解決するための手段】
【０００６】  前述の課題を解決するための本考案に係るペット用トイレの構成は、ベースプレートの周囲にペットの出入りを許容する開口を形成する側壁を立設した函型のペット用トイレであって、前記周囲に立設する側壁はペットの体高をカバーするに十分な高さを有して構成され、ペットの出入りを許容する開口部は外方に突出する第２の側壁を有し、入口底は前記第２の側壁に連接し、かつ、ベースプレートの上面から段差を形成して設けられた点に存するものである。【０００７】  また、前述の課題を解決するための本考案に係るペット用トイレの構成は、前記ベースプレートの下面側に移動用のキャスターを固定した点に存するものである。
【考案の効果】
【０００８】  前述の構成を有する本考案におけるペット用トイレのにあっては、ペット用トイレの周囲に形成する側壁をペットの体高をカバーするに十分な高さに形成することによって、成犬の雄が後肢を高く上げて排泄する排泄行動をとる場合においても、排尿時における飛散を確実に防止することが可能となり、ペット用トイレの下面側に移動用のキャスターを固定することによって、トイレの移動を簡単になしうることから、設置場所の変更、清掃時の移動を簡単に行いうることから、室内の清潔に保つことができる等の効果を奏するものである。
【実施例】
【０００９】  以下、図示の実施例に基づいて本考案に係るペット用トイレについて説明すると、図示の実施例において、１はペット用のトイレ（以下、単にトイレという。）を示し、このトイレ１は四隅のコーナに丸味を有する矩形に形成され、ベースプレート２と、その周囲に立設される側壁３と、また、側壁３の一部にはペットの出入りする開口部４が形成されている。【００１０】  前記側壁３の高さＨは、ペットの体高をカバーするに十分な高さ、言い換えれば、ペット、就中、雄犬の排泄行動における後肢を上げて行う排尿時の尿の飛散を防止するのに十分な高さを意味し、中・小型犬、例えば、シーズーの場合にあっては４０〜５０ｃｍの側壁高さが有効である。【００１１】  側壁３の一部にペットの出入りを許容する開口部４を形成するものであるが、この開口部４は外方に突出する第２の側壁５を有し、入口底６は前記第２の側壁５に連接し、かつ、ベースプレート２の上面から段差を形成して設けられている。これは、排泄された尿の漏洩を防止することと、ペットのトレーニングにもかかわることであるが、段差を形成することによって、トイレであることを確認させ、認識させて、使用する習慣を身につけさせる効果を有する。【００１２】  ペット用トイレ１にあっては、ベースプレート２の下面側、言い換えると、裏面側の４箇所に軸部８に車輪９を回転自在に軸支してなる移動用のキャスター７を固定するのが好ましい。この移動用のキャスター７は図２に示すような固定構造を採用することが推奨される。即ち、ベースプレート２の表面から突出するようにリブ１０を形成し、キャスター７の車輪９を軸支する軸部８が嵌着する軸部８と同一直径を有する嵌合孔１１を形成するとともに、前記嵌合孔１１に軸部８を挿通するための連通溝１２の幅寸法Ｂを、キャスター７軸径よりもわずかに小さい寸法に形成する。【００１３】  このようにキャスター７とリブ１０、詳しくは、キャスター７の軸部８と嵌合孔１１および連通溝１２との関係を定めることによって、キャスター７の軸部８が嵌合孔１１に収まった時、連通溝１２を形成するリブによって軸部８を抱持する状態となり、キャスター７の脱落が防止できる。【００１４】  ペット用トイレ１にキャスター７を設けることによって、室内の模様替え、清掃時の移動等設置場所の変更にともなうトイレの移動を簡単になしうることから、室内の清潔に保つことができる等の効果を奏するものである。
【図面の簡単な説明】
【００１５】
【図１】本考案にかかるペット用トイレの斜視図。
【図２】本考案にかかるペット用トイレの底面におけるキャスタ取付部を示す部分拡大断面図。
【符号の説明】
【００１６】  １：ペット用トイレ
２：ベースプレート
３：側壁
４：開口部
５：第２の側壁
６：入口底
７：キャスター
８：軸部
９：車輪
１０：リブ
１１：嵌合孔
１２；連通溝
【図１】
0003138849.tif 000003
【図２】
0003138849.tif 000004